(57)【特許請求の範囲】
【請求項１】
液体を保持する補給タンク及び電力を供給する給電手段を有する供給装置に着脱自在に装着され、ミスト噴出口、前記供給装置に装着された場合に前記供給装置から前記液体が供給される給液口、及び前記供給装置に装着された場合に前記給電手段から電力を供給される電気接点部を有し、使用者に把持される外部ケースと、
前記外部ケース内に収納された前記ミスト噴出口と対応する位置に開口を有し、前記給液口と給液管を介して接続され前記供給装置から供給された液体を貯める液体タンクと、
前記液体タンクの前記開口を覆う金属メッシュと前記金属メッシュに固定された超音波振動子とを有し、前記液体を霧化して前記ミスト噴出口から噴霧する噴霧化ユニットと、
前記金属メッシュから離間し、前記液体タンク内に露出して配設された金属片と、
前記金属メッシュを負極とし前記金属片を正極として第１の電力を供給し、及び前記超音波振動子に第２の電力を供給する電源制御手段と、
を有することを特徴とするミスト発生機。
【請求項２】
前記金属メッシュ及び前記金属片間の通電状態を監視し、当該通電状態に基づいて前記超音波振動子への給電のオンオフを制御する制御手段をさらに具備する請求項１に記載のミスト発生機。
【請求項３】
前記液体タンクは、底面、当該底面と対向する天井面、前記底面及び天井面を接続する壁面を有し、
前記液体は、前記底面、前記天井面、前記壁面に囲まれた空間に貯留され、
前記給液管は、一端側が前記給液口と接続され、他端側は前記空間内に突出する
ことを特徴とする請求項１または２に記載のミスト発生機。
【請求項４】
液体を霧化させて噴霧するミスト発生機と当該ミスト発生機が着脱自在に装着される供給装置を備え、
前記ミスト発生機は、
ミスト噴出口、前記供給装置に装着された場合に前記供給装置から液体が供給される給液口、及び前記供給装置に装着された場合に前記供給装置から電力を供給される電気接点部を有し、使用者に把持される外部ケースと、
前記外部ケース内に収納された前記ミスト噴出口と対応する位置に開口を有し、前記給液口と給液管を介して接続され前記供給装置から供給された液体を貯める液体タンクと、
前記液体タンクの前記開口を覆う金属メッシュと前記金属メッシュに固定された超音波振動子とを有し、前記液体を霧化して前記ミスト噴出口から噴霧する噴霧化ユニットと、
前記金属メッシュから離間し、前記液体タンク内に露出して配設された金属片と、
前記金属メッシュを負極とし前記金属片を正極として第１の電力を供給し、及び前記超音波振動子に第２の電力を供給する電源制御手段と、
を有し、
前記供給装置は、
前記液体を保持する補給タンクと、
前記ミスト発生機が着脱自在に装着された場合に前記補給タンクに保持された液体を前記給液口を介して前記液体タンクに供給する液体補給手段と、
前記ミスト発生機が着脱自在に装着された場合に前記電気接点部を介して前記ミスト発生機に電力を供給する給電手段と、
を有することを特徴とするミスト発生装置。
【請求項５】
前記金属メッシュ及び前記金属片間の通電状態を監視し、当該通電状態に基づいて前記超音波振動子への給電のオンオフを制御する制御手段をさらに具備する請求項４に記載のミスト発生装置。
【請求項６】
前記液体タンクは、底面、当該底面と対向する天井面、前記底面及び天井面を接続する壁面を有し、
前記液体は、前記底面、前記天井面、前記壁面に囲まれた空間に貯留され、
前記給液管は、一端側が前記給液口と接続され、他端側は前記空間内に突出する
ことを特徴とする請求項４または５に記載のミスト発生装置。
【発明の詳細な説明】
【技術分野】
【０００１】
本発明は、水や美容液などの液体を微粒化したミストを肌面に供給して美容処理を行うことが可能な携帯型のミスト発生装置に関する。
【背景技術】
【０００２】
携帯性に優れ、どこにでも持ち運ぶことができ、ユーザの顔などに液体のミストを噴霧して肌に潤いを与え、または肌の細胞組織の活性を高める美容処理を行う噴霧装置が知られている。近年美容処理において、水に水素を溶解させた、水素水や還元水などと呼ばれる液体を肌に供給することによって、肌にうるおいを与える装置や技術が注目されている。
しかし、水に水素を溶解させるには、水の電解装置が必要であるが、従来の水の電解装置は、大型で携帯には不向きである。また、補給用に、水素を溶解させた水を密閉容器にいれて携帯することも考えられるが、水に溶解した水素は時間とともに水から離脱するため、長時間にわたって水素水として保持することは難しい。
【先行技術文献】
【特許文献】
【０００３】
【特許文献１】実用新案登録第３１６１９９６号公報
【発明の概要】
【発明が解決しようとする課題】
【０００４】
本発明は、上記のような事情を考慮してなされたものであり、水素を含む液体を容易に肌面に供給可能なミスト発生装置を提供することを目的とする。
【０００５】
本発明の一実施形態のミスト発生装置は、正面にミスト噴出口を有する外部ケースと、
前記外部ケース内に収納された前記噴出口と対応する位置に開口を有する液体タンクと、前記液体タンクの開口を覆う金属メッシュと前記金属メッシュに固定された超音波振動子とを有する噴霧化ユニットと、を備え、前記金属メッシュを一方の電極とし、前記金属メッシュから電気的に離間させて前記液体タンク内に配設された金属片を他方の電極とする水を電気分解する電気分解電極と、前記電気分解電極及び前記超音波振動子に給電する電源手段と、前記電源手段から前記電気分解電極及び前記超音波振動子への給電をオン・オフ制御する前記外部ケース外から操作可能なスイッチ手段とを有することを特徴とする。
【発明の効果】
【０００６】
本発明によれば、水素を含む液体を容易に肌面に供給可能なミスト発生装置を提供できる。
【図面の簡単な説明】
【０００７】
【図１】ミスト発生装置１を正面から見た図。
【図２】ミスト発生装置１の内部を模式的に示す概略図。
【図３】制御用電子回路基板１０７の機能ブロック図。
【図４】ミスト発生装置１の動作を示すフローチャート。
【図５】ミスト発生装置２の内部を模式的に示す概略図。
【図６】ミスト発生装置３の内部を模式的に示す概略図。
【図７】変形例であるミスト発生装置４を正面から見た図。
【図８】変形例であるミスト発生装置５の内部を模式的に示す概略図。
【発明を実施するための形態】
【０００８】
以下、実施の形態を図に基づき説明する。
［第１実施形態］
図１に示すように、この実施形態のミスト発生装置１は、外部ケースとして機能する筺体１０を備え、その表面にはミスト放出口１００が設けられている。筺体１０の上方には、保湿や肌面のケアのための化粧液や水（以下これらを単に「液体」と称す。）を筺体１０内に入れる際に、使用者によって開閉される蓋部１０１が設けられている。また、筺体１０の側面には、使用者によって液体の噴霧のオン・オフが操作されるスイッチ１１１の一部が露出している。なお、液体に添加される化粧水などに含まれる有効成分は、液体に導電性を付与して水の電気分解を容易にするが、例えば塩化ナトリウムなどは電気分解により有害なガスやアルカリを生成する恐れがあるので、このような成分は液体中に含まないようにするか又は通常よりも低い濃度とし、さらに、使用が長時間にわたらないように、一定時間経過後電源をオフにするタイマー装置を設けることが望ましい。
【０００９】
図２に示すように、筺体１０内には、液体タンク１０２、噴霧化ユニット１０５、電極１０６、制御用電子回路基板１０７、バッテリー１０９、これらを電気的に接続する為の配線１１０などが配置されている。また、ここでは図示を省略したが、筺体１０内には、筺体１０の表面に露出したスイッチ１１１の他の部分が制御用電子回路基板１０７に電気的に接続されるように配置される。
【００１０】
液体タンク１０２は、筺体１０の上側に設置され、天井部１０２aに蓋部１０１が開閉自在に設けられる。液体タンク１０２は、天井部１０２aより供給された液体を貯える。
液体タンク１０２において底側であり、ミスト放出口１００と対応する所定の位置には、ミスト放出口１００と連通する液体導出部１０２bが設けられている。液体導出部１０２bには、噴霧化ユニット１０５が取り付けられる。液体タンク１０２に貯えられた液体は、その自重によって液体導出部１０２bに取り付けられた噴霧化ユニット１０５と接触する。
【００１１】
噴霧化ユニット１０５は、液体タンク１０２から導出される液体を霧化して、ミスト放出口１００から放出させる。噴霧化ユニット１０５は、小径の孔が多数設けられたウェーハ状の金属メッシュ１０５ｂの表面に、圧電セラミックス（ＰＺＴ）で形成された超音波振動子１０５aが固着されたものである。超音波振動子１０５aに電圧が供給されることにより、超音波振動子１０５aに圧電効果が発生し、機械的な変位を生じて、結果として、超音波振動子１０５aと固着された金属メッシュ１０５ｂが前後に引かれたり伸ばされたりする。
例えば、超音波振動子１０５aが１３０ｋＨｚの超音波周波数で前後に振動するように制御されると、金属メッシュ１０５ｂの孔の両側に気圧差が生じて液体タンク１０２に貯えられた液体が微小に霧化される。圧電作用の原理により、超音波振動子１０５aは液体の霧化と同時にマイナスイオンを発生させる。このようにマイナスイオンが発生し、霧化した液体には、栄養成分と結合して肌の深層へと浸透し、皮膚細胞の水分及び栄養エキスの吸収を促す効果があるといわれている。
【００１２】
金属メッシュ１０５ｂは、電極１０６とともに液体タンク１０２内の液体の量を検出するための液量検出手段として機能し、さらに電気分解電極部の一方としても機能する。このような機能を実現させるために、金属メッシュ１０５ｂには、超音波振動子１０５aとは別に、バッテリー１０９から電力が供給される。
電極１０６は、液体タンク１０２の内壁面に固着されており、金属メッシュ１０５ｂよりも高い位置（図中の高さＳを参照）に配置される。
電極１０６は、金属メッシュ１０５ｂとともに液体タンク１０２内の液体を電気分解するための電気分解電極部の他方の極として機能する。
【００１３】
（液体の量の検出について）
液体タンク１０２内の液面が高さＳよりも高い場合、すなわち、電極１０６が液体に浸っている場合には、金属メッシュ１０５ｂおよび電極１０６間に電流が流れる、逆に液体タンク１０２内の液面が、高さＳよりも低い場合には、金属メッシュ１０５ｂおよび電極１０６間には電流が流れない。この金属メッシュ１０５ｂおよび電極１０６間に電流が流れるか否か、または金属メッシュ１０５ｂおよび電極１０６間の電圧が一定以上か否かを検出するによって液体タンク１０２内に液体が十分に供給されているか検出できる。なお、電極１０６は金属メッシュ１０５ｂと同じ高さとなるように設けてもよい。この場合には、高さＳが０[mm]に近くなり、液体タンク１０２内の液体がほぼなくなる程度の液位も検出可能となる。
【００１４】
（電気分解について）
金属メッシュ１０５ｂは、カソード極（マイナス極）であり、電極１０６はアノード極（プラス極）である。金属メッシュ１０５ｂおよび電極１０６にバッテリー１０９の電力を供給することにより液体タンク１０２内の液体が電気分解され、カソード極である金属メッシュ１０５ｂ側に水素イオンおよび、この水素イオンが電子を受け取ることで水素が発生し、アノード極である電極１０６側には酸素がそれぞれ発生する。金属メッシュ１０５ｂ側に発生した水素は、水素イオンが含まれ霧化された液体とともにミスト放出口１００から放出され、使用者の肌面に供給される。
なお、このような電気分解によって得られる液体は、還元水や活性水素水と呼ばれ、人体の活性酸素を除去する効果や、細胞の酸化によって発生するシミ、ソバカス等を除いて肌を若返らせる所謂アンチエイジングに効果があるといわれている。
以上が液体の量の検出及び電気分解についての説明である。
【００１５】
バッテリー１０９は、二次電池（例えば、リチウムイオン電池やキャパシタなど）から構成され、制御用電子回路基板１０７の電子回路からの制御信号により、外部から電力の供給を受けて充電される（なお、ここでは外部からの給電端子などは図示を省略した）。バッテリー１０９に貯えられた電力は、制御用電子回路基板１０７の制御回路の制御による超音波振動子１０５aの駆動や金属メッシュ１０５ｂ、電極１０６による液面の検出や電気分解に使用される。
スイッチ１１１は、使用者が超音波振動子１０５aの駆動のＯＮ−ＯＦＦを制御するために設けられる。
【００１６】
図３に示すように、制御用電子回路基板１０７には、制御実行部１０７a、液面判定部１０７b、計時部１０７c、記憶部１０７dとして機能する制御回路が構成される。制御用電子回路基板１０７はタイマー手段としての機能を備える。
制御実行部１０７aは、バッテリー１０９の電力の充放電を制御する。この「充放電の制御」の一例は、超音波振動子１０５a、金属メッシュ１０５ｂ、電極１０６へのバッテリー１０９からの電力の供給である。制御実行部１０７aは、スイッチ１１１の押下操作も検知する。制御実行部１０７aは、使用者のスイッチ１１１の操作を検知すると、超音波振動子１０５aを駆動させる。
さらに制御実行部１０７aは、液面判定部１０７b、計時部１０７c、記憶部１０７dそれぞれを制御する。
液面判定部１０７bは、金属メッシュ１０５ｂ、電極１０６間に電流が流れるか否かを検出する機能を備え、液体タンク１０２内の液体の液面の高さを判定する。
液面判定部１０７bは、制御実行部１０７aによる充放電の制御によって金属メッシュ１０５ｂ、電極１０６間に電流が流れたことを検出することによって、液体タンク１０２内の液体の液面が、図２における高さＳよりも高い位置にあると判定する。また逆に、液面判定部１０７bは、制御実行部１０７aによる充放電の制御によって金属メッシュ１０５ｂ、電極１０６間に電流が流れなかったことを検出することによって、液体タンク１０２内の液体の液面が、図２における高さＳよりも低い位置にあることを判定する。液面判定部１０７bは、液面の高さの判定結果を制御実行部１０７aに通知する。
【００１７】
なお、液面判定部１０７bが「金属メッシュ１０５ｂ、電極１０６間に電流が流れるか否かを検出する機能」を備えず、代替となる機能を備えることで液体の液面の高さを判定するようにしてもよい。「代替となる機能」とは、例えば金属メッシュ１０５ｂ、電極１０６間に流れる電流の変動を検知することである。使用中に液体が減少していき、金属メッシュ１０５ｂ、電極１０６間で電流が流れにくくなったことを検知することで、液体タンク１０２内の液体の液面の高さを判定する。また、例えば、電流ではなく、金属メッシュ１０５ｂ、電極１０６間に印加された電圧の値の変動を検知するようにしてもよい。
【００１８】
計時部１０７cは、制御実行部１０７aに制御されて、金属メッシュ１０５ｂおよび電極１０６に対して流された電気分解用の電力の供給時間を計時する。計時部１０７cは、液体タンク１０２内の液体のＰＨ値（ペーハ値）を制御するためにこの計時を行う。要するに、電気分解によって、液体タンク１０２内の液体のアルカリ化するのを防ぐために時間を計時する。
記憶部１０７dには、金属メッシュ１０５ｂおよび電極１０６に対して供給される電気分解用の電力の供給可能時間を示す情報（たとえば数秒〜数十秒の時間を示す情報）が保持される。記憶部１０７dが保持する情報は、制御実行部１０７aによって適宜読み書きされる。
【００１９】
（ミスト発生装置１の動作の説明）
次に、図４を用いてミスト発生装置１の動作を説明する。
（１）スイッチ１１１の操作検出（ステップＳ１０１）
使用者によって、スイッチ１１１がオン操作されると、このオン操作を示す信号が制御実行部１０７aによって検知される。
（２）水位検出処理及びミスト発生装置停止処理（ステップＳ１０２〜１０３のNo）
制御実行部１０７aは、スイッチ１１１のオン操作の検知に対応して、金属メッシュ１０５ｂ、電極１０６にバッテリー１０９のＤＣ電流を供給し、液面判定部１０７bに金属メッシュ１０５ｂ、電極１０６間に電流が流れるか否かを検出させる。なお、ここではバッテリー９の電力の余計な消耗を避けるために金属メッシュ１０５ｂ、電極１０６間には一瞬だけ電流を流すものとする。
【００２０】
金属メッシュ１０５ｂ、電極１０６間に電流が流れなかった場合、液面の高さが低いことを示す信号が液面判定部１０７bから制御実行部１０７aに通知される。制御実行部１０７aは、液体タンク１０２内に十分な量の液体が貯められていないと判定し、超音波振動子１０５aを駆動させずにミスト発生装置１の動作を停止させる。
（３）ミスト放出処理（ステップＳ１０３のYes、ステップＳ１０４）
ステップＳ１０３において、金属メッシュ１０５ｂ、電極１０６間に電流が流れた場合には、液面の高さが高いことを示す信号が、液面判定部１０７bから制御実行部１０７aに通知される。制御実行部１０７aは、液体タンク１０２内に十分な量の液体が貯められていると判定し、超音波振動子１０５aを駆動させる。超音波振動子１０５aの駆動により、ミスト放出口１００から霧化された液体が放出される。
【００２１】
（４）電気分解オン制御(ステップＳ１０５)
ステップＳ１０４と同時（または前後して）に、制御実行部１０７aは、金属メッシュ１０５ｂ、電極１０６に電力を供給し、液体タンク１０２内の液体を電気分解させる。このことにより、ミスト放出口１００からは、水素や水素イオンを含んだ活性水素水となった霧化された液体が放出される。
（５）電気分解継続・オフ制御(ステップＳ１０６〜１０９)
次に制御実行部１０７aは、計時部１０７cを制御して、金属メッシュ１０５ｂおよび電極１０６に対して行われる電気分解用の電力の供給時間を計時させる。制御実行部１０７aは、計時部１０７cが計時する時間を示す情報を常に監視している。制御実行部１０７aは、この計時時間が、記憶部１０７dに保持された電力の供給可能時間を示す情報と一致するか否かを判定する。
判定の結果、計時部１０７cが計時した時間を示す情報と、記憶部１０７dに保持された電力の供給可能時間（図４のステップＳ１０７の「規定値」）を示す情報とが一致した場合には、制御実行部１０７aは、金属メッシュ１０５ｂおよび電極１０６に対しての電力の供給を停止させ、液体タンク１０２内の液体の電気分解制御をオフにする。このとき、制御実行部１０７aは、計時部１０７ｃが計時した時間を示す情報を0秒にリセットする。この後、制御実行部１０７aは、例えばスイッチ１１１のオフ操作がなされるまで、超音波振動子１０５aの駆動を継続させ、ミスト放出口から霧化した液体を放出させる。なお、電気分解継続中に液体の水位が低くなった場合には、制御実行部１０７aは、金属メッシュ１０５ｂおよび電極１０６に対する電力の供給を停止し、さらに超音波振動子１０５aの駆動も停止させる。
【００２２】
以上、説明したように、この実施の形態のミスト発生装置１によれば、使用者が美容処理を行おうとした場合、まず金属メッシュ１０５ｂおよび電極１０６を通電させることよって、液体タンク１０２内の液面の高さを検出する。この結果として液体タンク１０２内の液体の量が検出される。液体タンク１０２内に十分な量の液体がないと判定された場合には、超音波振動子１０５aを駆動させないので、不必要な電力の消費を抑止できる。
さらに、液体タンク１０２内に十分な量の液体があると判定された場合には、超音波振動子１０５aを駆動させるとともに、金属メッシュ１０５ｂおよび電極１０６を通電させ、液体タンク１０２内の液体を電気分解させる。電気分解により、水素や水素イオンを含む還元水、活性水素水と呼ばれる液体をミスト放出口１００から噴霧することができる。また、ミスト発生装置１では、電気分解用の電極の一方を噴霧化ユニット１０５が備える金属メッシュ１０５ｂとすることにより、電気分解に必要な部品数を削減でき、ミスト発生装置１のコストを削減できる。
なお、この実施の形態では、液体タンク１０２内に十分な量の液体がないと判定された場合には、超音波振動子１０５aを駆動させない構成としたが、このとき、さらに液体タンク１０２内に十分な量の液体がないことを使用者に報知するようにしてもよい。この場合には、例えば、スピーカーやＬＥＤを筐体１０内に設け、制御実行部１０７aがこれらを制御することによって音や光で使用者に報知させる。音や光で使用者に液体タンク１０２内に十分な量の液体がないことを報知させることで、ミスト発生装置１の使い勝手がより向上する。
【００２３】
[第２実施形態]
次に図５を参照して、本発明の第２実施形態であるミスト発生装置２について説明する。なお、ここでは、第１実施形態のミスト発生装置１と同様の構成や機能を備える要素には同一の符号をつけ、詳細な説明は省略する。
ミスト発生装置２は、例えばリビングや寝室で使用されることを想定しており、持ち運びを想定しているミスト発生装置１よりも大きな装置である。
図５に示すように、ミスト発生装置２は、筺体２０を備え、その表面にはミスト放出口１００が設けられている。筺体２０は、超音波振動子１０５a、電極１０６、これらを電気的に接続する為の配線１１０を備える。
さらに、筺体２０は、液体タンク２０２、制御用電子回路基板１０７とほぼ同様の機能を備える制御用電子回路基板２０７、補給タンク２０９、ポンプユニット２１１、給液管２１３、電源コード２１５、スイッチ１１１と同様の機能を備えるスイッチ２１６を備える。
【００２４】
補給タンク２０９は、液体を大量に保持することが可能なボトル形状の箱体である。補給タンク２０９は筺体２０に着脱自在に挿入できるように設けられ、補給タンク２０９内の液体がなくなったときに新しい補給タンク２０９に取り換えられることが望ましい。また、補給タンク２０９には、筺体２０への未装着時に液体の漏れを防止するための機能（例えば、弁体や蓋）が設けられることが望ましい。補給タンク２０９は液体の導出孔を下に向けた状態で筺体２０内に配置され、補給タンク２０９内の液体がその自重によって、常に落下するようになっている。補給タンク２０９の液体導出孔から落下した液体は、ポンプユニット２１１により吸い上げられ、このポンプユニット２１１に一端を接続された給液管２１３を介して液体タンク２０２に供給される。
液体タンク２０２は、第１実施形態の液体タンク１０２とほぼ同様の構造を有しており、超音波振動子１０５a、電極１０６などが収容される。液体タンク１０２の底面には、孔部２０２aが設けられ、給液管２１３が挿入される。液体タンク１０２には、孔部２０２aから挿入された給液管２１３によって、ポンプユニット２１１が吸い出した液体が供給される。
電源コード２１５は、制御用電子回路基板２０７や超音波振動子１０５a、電極１０６を駆動させる為の電力をミスト発生装置２外部から得る為のものである。電源コード２１５によって、建物のコンセントやパソコンから電力を得ることができる。
【００２５】
以上のように構成されたミスト発生装置２では、基本的な動作はミスト発生装置１と同様である（図４参照）。しかしながら、ミスト発生装置２では補給タンク２０９や電源コード２１５を備えることにより、ミスト発生装置１よりも長時間の美容処理が可能となる。上記したように、ミスト発生装置２は例えばリビングや寝室などに置いて使用することを想定している。このようにミスト発生装置２をいわゆる「据え置き型」とする場合、超音波振動子１０５aや電極１０６、液体タンク２０２の寸法をミスト発生装置１が備える超音波振動子１０５aや電極１０６、液体タンク１０２よりも大きいものとしてよい。
【００２６】
[第３実施形態]
次に図６を参照して、本発明の第３実施形態であるミスト発生装置３について説明する。なお、ここでは、第１、第２実施形態のミスト発生装置１、２と同様の構成や機能を備える要素には同一の符号をつけ、詳細な説明は省略する。
図６に示すように、ミスト発生装置３は、ミスト発生装置１、２の一部の機能及び構成を備えるミスト発生装置子機３００a及び、ミスト発生装置２の一部の機能及び構成を備え、ミスト発生装置子機３００aが取り出し自在に装着されて、装着状態のミスト発生装置子機３００aに対して液体及び電力を供給するミスト発生装置親機３００bを備える。
【００２７】
ミスト発生装置子機３００aは、筺体３０aを備え、その表面にはミスト放出口１００が設けられている。筺体３０aは、蓋部１０１、超音波振動子１０５a、電極１０６、制御用電子回路基板１０７、バッテリー１０９、これらを電気的に接続する為の配線１１０、スイッチ１１１（図示せず）、液体タンク２０２を備える。
筺体３０aは、さらに受電部３１a、開口部３３a、弁体３５aを備える。
受電部３１aは、筺体３０aの底面に設けられ、ミスト発生装置親機３００bから電力を供給される為の端子部である。受電部３１aから供給された電力は、バッテリー１０９に蓄えられる。また、ここでは図示を省略したが受電部３１aは制御用電子回路基板１０７に接続される信号線を備えている。この信号線によって、制御用電子回路基板１０７とミスト発生装置親機３００bとの間で種々の信号を送受信する。「種々の信号」は、例えば、ミスト発生装置親機３００bが制御用電子回路基板１０７を制御可能とするためのものであり、超音波振動子１０５aの駆動のオン・オフや金属メッシュ１０５ｂ、電極１０６への給電の制御に用いられる。
【００２８】
開口部３３aは、筺体３０aの底面に設けられ、ミスト発生装置親機３００bから液体の供給を受けるためのものであり、後述するミスト発生装置親機３００bが備える給液管３１３が挿入される。開口部３３aに給液管３１３が挿入されることで、ミスト発生装置親機３００bにたいしてミスト発生装置子機３００aが固定され、安定した液体供給が可能となる。
開口部３３aには、筺体３０aにおいて給液管２１３の一端が接続され、開口部３３aに通じる給液管２１３の口部には弁体３５aが設けられる。
弁体３５aは、給液管２１３の一端部を封じるように開閉自在に配設され、通常時は閉状態となるように取り付けられている。そして弁体３５aは、給液管３１３が挿入されることで、上方向に押し上げられて開状態となる。弁体３５aが通常時は閉状態となるように取り付けられていることで、液体タンク２０２からの液漏れを防止できる。
【００２９】
ミスト発生装置親機３００bは、筺体３０ｂを備える。筺体３０ｂは、補給タンク２０９、ポンプユニット２１１、電源コード２１５、スイッチ１１１と同様の機能を備えるスイッチ２１６備える。
さらに、筺体３０ｂは、給液管３１３、給電端子３１５、制御用電子回路基板３０７を備える。
給液管３１３は、ポンプユニット２１１に一端を接続され、他端が筺体３０ｂの外側に露出する管である。給液管３１３は、ポンプユニット２１１吸い上げた液体をミスト発生装置子機３００aに供給するためのガイドとして機能する。
給電端子３１５は、電源コード２１５を介して供給された電力をミスト発生装置子機３００aに供給する為のものであり、ミスト発生装置子機３００aの受電端子３１aに出し入れ自由に挿入されるピン状の端子である。給電端子３１５は、上記した「種々の信号」をミスト発生装置子機３００aと送受信するための図示はしない信号線を備える。
制御用電子回路基板３０７は、制御用電子回路基板１０７とほぼ同様の機能を備える。制御用電子回路基板３０７は、ミスト発生装置子機３００aへの充電のオン・オフや、超音波振動子１０５aの駆動のオン・オフなどを制御する。これらの制御は、給電端子３１５および受電部３１aを介して、制御用電子回路基板１０７との間で上記した「種々の信号」を送受信することで行われる。
【００３０】
以上のように構成されたミスト発生装置３では、基本的な動作はミスト発生装置１と同様である（図４参照）。ミスト発生装置３では、通常時にはミスト発生装置子機３００aがミスト発生装置親機３００bに装着された状態で使用される。
ミスト発生装置３では、ミスト発生装置親機３００bが補給タンク２０９や電源コード２１５を備えることにより長時間の美容処理が可能となる。さらにミスト発生装置親機３００bからミスト発生装置子機３００aを取り外すことができ、取り外したミスト発生装置子機３００aを使用して美容処理を行える。このため、外出先でも簡単に水素を用いた美容処理を行える。
なお、ここではミスト発生装置親機３００bは、主に液体の補給や外部からの電力の供給する機能を備える例を説明したが、ミスト発生装置親機３００bは、このほかにも様々な機能を備えてもよい。例えば、ミスト発生装置親機３００bが、液体タンク１０２、超音波振動子１０５a、電極１０６などを備えるようにしてもよい。この場合には、ミスト発生装置子機３００aがミスト発生装置親機３００bに装着されていなくともミスト発生装置親機３００b単体で美容処理を行える。
【００３１】
[変形例１]
次に図７を用いて、本発明の変形例１にであるミスト発生装置４について説明する。なお、ここでは、第１実施形態のミスト発生装置１と同様の箇所には同一の符号をつけ、詳細な説明は省略する。図７に示すように、ミスト発生装置４は、第１実施形態のミスト発生装置１の筺体１０に、美容処理を行いたい肌面（例えば、使用者の顔）にあてられる電極４０a及び使用者が手で握る（または触れるように持つ）電極４０ｂを設け、イオン導入を可能とした変形例である。
まず「イオン導入」について説明する。「イオン導入」とは、皮膚に微弱な電流を流すことで、水溶性の薬物を肌内に効果的に導入することである。通常はマイナスの電極を肌面にあて、プラスの電極を手に持つことで、皮膚に微弱な電流を流す。
例えば、肌面上に、水に溶けるとマイナスに帯電するイオンを含む物質（例えばビタミンＣ誘導体）を塗布した場合、このマイナスに帯電するイオンを含む物質と肌面に当てたマイナスの電極との間で反発力が生じ、マイナスに帯電するイオンを含む物質が顔の皮膚の奥へと浸透していく。
【００３２】
また、陽イオン（例えば、水素イオン）を肌面上に供給する場合には、プラスの電極を肌面にあて、マイナスの電極を手に持つ必要がある。したがって、ミスト発生装置４では、美容処理を行いたい肌面にあてられる電極４０aはプラスの電極であり、使用者が手で触れる電極４０ｂはマイナスの電極である。
電極４０aは、筺体１０のミスト放出口１００が配置された表面に、使用者の肌面と接触する接触面を露出させるようにして設けられる。電極４０aは、筺体１０内において、バッテリー１０９のプラス端子と図示はしない配線などにより電気的に接続される。
【００３３】
電極４０ｂは、筺体１０のミスト放出口１００が配置された表面に一部が露出し、さらにその裏面に渡って帯状に配置される（ここで、図７中の破線は、筺体１０の裏面上に露出する電極４０ｂの輪郭線である）。電極４０ｂは、筺体１０内において、バッテリー１０９のマイナス端子と図示はしない配線などにより電気的に接続される。
以上のように構成されたミスト発生装置４では、使用者によって筺体１０が持たれることで、使用者の手の一部と電極４０ｂが接触する。そして、ミスト放出口１００から放出された霧状の液体が供給された肌面上に電極４０aを接触させることで、電極４０a、電極４０aが接触する肌面、電極４０ｂと接触する手、電極４０ｂの順に微電流が流れ、肌面上に供給された水素イオンを皮膚内に効果的に導入することができ、美容処理を効果的に行える。
なお、上記のように使用者に微弱な電流を流すことによって水素イオンを皮膚内に効果的に導入するのではなく、使用者の肌面を霧状の液体に含まれる水素イオンと逆の極性となるように帯電させることで、この水素イオンを皮膚内に効果的に導入するようにしてもよい。
【００３４】
[その他の変形例]
以上、ミスト発生装置１〜４について説明したが、本願発明はこれらに限定されず、様々な変形が可能である。例えば、ミスト発生装置３の変形例においてミスト発生装置親機３００bが液体タンク１０２、超音波振動子１０５a、電極１０６などを備える場合には、これらの寸法をミスト発生装置１が備えるものよりも大きいものとすることができる。本願発明に係るミスト発生装置では、超音波振動子１０５aの一部を電極の一方とするので、超音波振動子１０５aを備えることが可能ならば、大型、小型を問わず様々な大きさのミスト発生装置を提供することができる。
【００３５】
さらに別の変形例として、図８に示すミスト発生装置５ように電極４０ｂ（または電極４０ａでもよい）を備え、電極４０ｂと金属メッシュ１０５ｂとの間にバッテリー１０９から電圧を印加させるミスト発生装置が考えられる。電極４０ｂと金属メッシュ１０５ｂとの間にバッテリー１０９から電圧を印加させることでミスト放出口１００から自由電子が放出される場合がある。この場合には、ミスト放出口１００から放出された自由電子は、電極４０ｂと接触することによって帯電した使用者の肌面に吸着されやすくなる。この肌面に吸着した自由電子によって、霧化された液体に含まれるイオン化された分子（ここでは水素イオン）が肌面に吸着されやすくなる。この結果、噴霧された液体に含まれるイオン化された分子を皮膚内に効果的に導入することができ、美容処理を効果的に行える。
【００３６】
また、電極４０ｂに電圧が印加され、使用者の肌面が帯電することで、ミスト放出孔１００から噴霧された液体をレナード効果や噴霧帯電といわれる現象を活用して効果的に肌面に供給できる場合がある。
レナード効果とは、水滴は偏極しており、表面には負電荷が揃って分布し、内部には正電荷が分布している可能性があることに着目したものであり、水滴が機械的に分裂して表面がはぎ取られた結果、水粒子が負または正に帯電する場合があるとされるものである。
この場合には、ミスト放出孔１００からは超音波振動子１０５aの駆動によって微粒化され、負または正に帯電した液体が噴霧されることになる。そして、電極４０ｂに電圧が印加されることによって、使用者の肌面が帯電し、この帯電した肌面に負または正に帯電した液体が吸着しやすくなるという効果を得ることが可能となる。
【００３７】
以上、各実施の形態や変形例を説明したが、本願発明ではさらなる変形が可能である。例えば、金属メッシュ１０５ｂをカソード極（マイナス極）とし、電極１０６をアノード極（プラス極）として説明したが、これに限定されず、液体タンク１０２などに供給される液体の種類に応じて、金属メッシュ１０５ｂをアノード極（プラス極）とし、電極１０６をカソード極（マイナス極）とするようにしてもよい。これと、同様に電極４０a、４０ｂの極性も適宜変更してよい。また、超音波振動子１０５a、金属メッシュ１０５ｂ、電極４０aまたは４０ｂを備え、電極１０６を備えない構成としてもよい。
【符号の説明】
【００３８】
１，２，３，４，５…ミスト発生装置、１０，２０，３０a…筺体、１０６，４０a，４０ｂ…電極、１００…ミスト放出口、１０２，２０２…液体タンク、１０５…噴霧化ユニット、１０５a…超音波振動子、１０５ｂ…金属メッシュ、１０７，２０７，３０７…制御用電子回路基板、１０９…バッテリー、１１１，２１６…スイッチ３００a…ミスト発生装置子機、３００ｂ…ミスト発生装置子機。
【図１】
0005788247.tif 000002
【図２】
0005788247.tif 000003
【図３】
0005788247.tif 000004
【図４】
0005788247.tif 000005
【図５】
0005788247.tif 000006
【図６】
0005788247.tif 000007
【図７】
0005788247.tif 000008
【図８】
0005788247.tif 000009